(57)【要約】【課題】自治体指定のごみ袋としても利用できるごみ袋兼用レジ袋を提供する。【解決手段】ごみ袋兼用レジ袋１の幅広面２にこのレジ袋が自治体指定のごみ袋として利用できることを表示する表示部２ａを有して構成し、このレジ袋が自治体指定のごみ袋であることを明示する。さらに、表示部２ａにこのレジ袋がごみ回収料金を支払い済みであることも表示させ、ごみ回収料金が支払い済みであることも明示する。また、表示部をこのレジ袋が自治体指定のごみ袋として利用できることを表示するシールを貼る部分として構成し、このレジ袋が該当する自治体指定のごみ袋であることを明示する。【選択図】図１
2007223675.tif 000002
【特許請求の範囲】
【請求項１】
レジ袋であって、
前記レジ袋が、このレジ袋が自治体指定のごみ袋として利用できることを表示する表示部を有することを特徴とするごみ袋兼用レジ袋。
【請求項２】
前記表示部が、このレジ袋が自治体指定のごみ袋として利用できることを表示するシールを貼る部分であることを特徴とする請求項１に記載のごみ袋兼用レジ袋。
【請求項３】
前記表示部が、前記レジ袋の幅広面にあることを特徴とする請求項１または請求項２に記載のごみ袋兼用レジ袋。
【請求項４】
前記表示部が、このレジ袋がごみ回収料金を支払い済みであることを表示することを特徴とする請求項１から請求項３のいずれか１項に記載のごみ袋兼用レジ袋。
【発明の詳細な説明】
【技術分野】
【０００１】  この発明は、レジ袋に関し、特に自治体指定のごみ袋としても利用できるごみ袋兼用レジ袋に関する。
【背景技術】
【０００２】  一般的に、コンビニエンスストアやスーパーマーケットなどの小売店において、レジスター（以下、レジという）で買物客に渡される、買物をした持ち帰り商品を入れる袋（以下、レジ袋という）として、レジ袋の一または複数の面に小売店名を印刷したものが用いられている。【０００３】  また、レジ袋の一つの面に小売店名に加えて広告を記載する欄を設け、このレジ袋から得られる広告報酬をレジ袋の製造費用に充当することによって、レジ袋のコストダウンを図るレジ袋や、ごみ袋の一つの面にごみ分類と市町村名に加えて広告を記載する欄を設け、このごみ袋から得られる広告報酬をごみ処理に係る費用に充当することによって、ごみ処理に係る家庭の費用負担の軽減を図るごみ袋が提案されている（例えば、特許文献１参照）。【０００４】  さらに、一般的に、商品を持ち帰るために使用されたレジ袋は、家庭においてごみ袋として二次利用されている。【０００５】  一方、近年、ごみの減量化を図るために、ごみの回収を自治体指定のごみ袋に限定し、ごみ袋を有料にする自治体が増えている。
【特許文献１】特開２００３−２８５８４７号公報（特許請求の範囲  請求項１、図１，２）
【発明の開示】
【発明が解決しようとする課題】
【０００６】  しかしながら、前記広告欄を設けたレジ袋やごみ袋では、広告報酬の充当によってレジ袋やごみ袋をより安価に提供することを目的としており、レジ袋やごみ袋の使用量が増えることはあっても減ることがなく、ごみの減量化には貢献しない。【０００７】  また、ごみの回収を自治体指定のごみ袋に限定し、すなわちレジ袋でのごみ出しを禁止してごみ袋を有料にする方法では、従来からごみ袋として二次利用されていたレジ袋がごみとして捨てられることになる。つまり、従来からごみ袋として二次利用されていたレジ袋が他のごみと共にごみ袋に入れられてごみとして回収されるために、レジ袋の分だけごみの量が増えることになる。【０００８】  さらに、ごみの回収を有料にする場合には、ごみ回収料金の支払いの有無をごみ回収のときに容易に確認できることが望まれている。【０００９】  そこで、この発明では、前記した問題を解決し、自治体指定のごみ袋としても利用できるごみ袋兼用レジ袋を提供することを目的とする。
【課題を解決するための手段】
【００１０】  前記課題を解決するため、請求項１に係る発明では、レジ袋をこのレジ袋が自治体指定のごみ袋として利用できることを表示する表示部を有して構成した。【００１１】  請求項２に係る発明では、表示部をこのレジ袋が自治体指定のごみ袋として利用できることを表示するシールを貼る部分として構成した。【００１２】  請求項３に係る発明では、表示部をレジ袋の幅広面に位置させるようにした。【００１３】  請求項４に係る発明では、表示部にこのレジ袋がごみ回収料金を支払い済みであることも表示させるようにした。
【発明の効果】
【００１４】  請求項１に係る発明によれば、レジ袋をこのレジ袋が自治体指定のごみ袋として利用できることを表示する表示部を有して構成したので、ごみの回収を自治体指定のごみ袋に限定している自治体においても、レジ袋をごみ袋として二次利用できる。【００１５】  請求項２に係る発明によれば、表示部をこのレジ袋が自治体指定のごみ袋として利用できることを表示するシールを貼る部分として構成したので、例えば複数の自治体において営業を行っている小売店では、レジ袋を自治体ごとに変更することなく、シールを自治体ごとに変更することで容易に対応できる。また、表示部をシールを貼る部分として構成したので、その部分にシールが貼られているかを確認すれば、袋全体を確認することなく自治体指定のごみ袋かを容易に確認できる。【００１６】  請求項３に係る発明によれば、表示部をレジ袋の幅広面に位置させるようにしたので、このレジ袋が自治体指定のごみ袋であることを容易に確認できる。【００１７】  請求項４に係る発明によれば、表示部にこのレジ袋がごみ回収料金を支払い済みであることも表示させるようにしたので、ごみ回収料金の支払いの有無も容易に確認できる。また、小売店が自治体にごみ回収料金を一括して支払い、小売店が買物客にレジ袋を有料で渡すようにすれば、容易にごみ回収料金の支払いや徴収ができる。
【発明を実施するための最良の形態】
【００１８】  次に、この発明の実施形態について、適宜図面を参照しながら詳細に説明する。図１は、この発明に係るごみ袋兼用レジ袋の斜視図である。図１に示すように、この発明に係るごみ袋兼用レジ袋１では、ごみ袋兼用レジ袋１の幅広面２にこのレジ袋が自治体指定のごみ袋として利用できることを表示する表示部２ａ（以下、ごみ袋兼用表示部２ａともいう）を有している。【００１９】  ごみ袋兼用レジ袋１は、買物をした持ち帰り商品を入れる袋形の入れ物であって、開口側の両側部に輪形の把持部３，３を有し、開口側の中央部に一対の短冊形の結束部４，４を有している。そして、ごみ袋兼用レジ袋１には、その幅広面２にこのレジ袋が自治体指定のごみ袋として利用できることを表示する表示部２ａ（以下、ごみ袋兼用表示部２ａという）と、買い物をした小売店名を表示する店名表示部２ｂを有している。【００２０】  ごみ袋兼用表示部２ａは、このレジ袋が自治体指定のごみ袋として利用できることを表示する部分であって、ここでは幅広面２の一つの面の開口側に位置している。【００２１】  店名表示部２ｂは、買い物をした小売店名を表示する部分であって、ここでは幅広面２であり、かつごみ袋兼用表示部２ａと同じ面の中央に位置している。【００２２】  以上のように構成されたごみ袋兼用レジ袋１では、ごみ袋兼用表示部２ａにこのレジ袋が自治体指定のごみ袋として利用できることと、このレジ袋がごみ回収料金を支払い済みであることが印刷されている。また、店名表示部２ｂには、このごみ袋兼用レジ袋１を用いて商品を販売しようとする小売店名や、その小売店名を独自の字体やデザインで表したロゴなどが印刷されている。【００２３】  図２は、この発明に係るごみ袋兼用レジ袋のごみ袋としての使用状態を示した斜視図である。図２に示すように、この発明に係るごみ袋兼用レジ袋１では、ごみ袋兼用表示部２ａにこのレジ袋が自治体指定のごみ袋として利用できることが印刷されていることで、ごみの回収を自治体指定のごみ袋に限定している自治体においても、レジ袋をごみ袋として二次利用できる。さらに、ごみ袋兼用表示部２ａが幅広面２に位置していることで、このレジ袋が自治体指定のごみ袋であることを容易に確認できる。【００２４】  続いて、この発明の他の実施形態に係るごみ袋兼用レジ袋１について、主に相違点を説明する。図３は、この発明に係るごみ兼用レジ袋の他の実施形態の斜視図である。図３に示すように、この発明の他の実施形態に係るごみ袋兼用レジ袋１では、幅広面２にこのレジ袋が自治体指定のごみ袋として利用できることを表示するシールＳを貼る表示部１２ａ（以下、シール貼付部１２ａという）を有している。【００２５】  シール貼付部１２ａは、このレジ袋が自治体指定のごみ袋として利用できることを表示するシールＳを貼る部分であって、ここでは幅広面２の一つの面の開口側の位置に、枠で囲まれている。【００２６】  以上のように構成された他の実施形態に係るごみ袋兼用レジ袋１では、図３に示すように、シール貼付部１２ａにこのレジ袋が自治体指定のごみ袋として利用できることとを表示するシールＳを貼ることで、ごみの回収を自治体指定のごみ袋に限定している自治体においても、レジ袋をごみ袋として二次利用できる。【００２７】  また、他の実施形態に係るごみ袋兼用レジ袋１では、シールＳを各自治体に応じたものに代えることで、レジ袋を自治体ごとに変更することなく、様々な自治体指定のごみ袋として利用できる。さらに、シール貼付部１２ａの位置が決まっていることから、シール貼付部１２ａにシールＳが貼られているかを確認すれば、袋全体を確認することなく自治体指定のごみ袋かを容易に確認できる。【００２８】  以上、この発明の実施形態について説明したが、この発明は前記実施形態には限定されない。例えば、この実施形態では、この発明に係るごみ袋兼用レジ袋１を開口側の両側部に輪形の把持部３，３を有し、開口側の中央部に一対の短冊形の結束部４，４を有しているものと説明したが、レジで買物客に渡される買物をした持ち帰り商品を入れる袋であれば、その形状や材質はどのようなものであっても構わない。なお、ごみ袋兼用レジ袋１がごみ袋としても利用されることから、その材質はごみ袋に好適なものが望ましい。【００２９】  この実施形態では、ごみ袋兼用表示部２ａにこのレジ袋が自治体指定のごみ袋として利用できることとが印刷されていると説明したが、このレジ袋が自治体指定のごみ袋として利用できることを表示する部分であればよく、例えば枠で囲んだ部分のみでも構わない。この場合には、その枠内に後からこのレジ袋が自治体指定のごみ袋として利用できることを表示するスタンプを押すようにしても構わない。【００３０】  この実施形態では、シール貼付部１２ａを枠で囲まれている部分と説明したが、シールＳを貼る部分であることが識別できればよく、例えばその部分の色を変えるようにしても構わない。【００３１】  この実施形態では、ごみ袋兼用表示部２ａとシール貼付部１２ａを幅広面２の一つの面の開口側に位置していると説明したが、ごみ袋兼用表示部２ａなどがごみの回収のときに確認しやすい位置にあればよく、例えば幅広面２の底面側や把持部３でも構わない。【００３２】  この実施形態では、ごみ袋兼用表示部２ａにこのレジ袋がごみ回収料金を支払い済みであることとも印刷されていると説明したが、必ずしもこのレジ袋が自治体指定のごみ袋として利用できることと一緒に印刷する必要はなく、このレジ袋がごみ回収料金を支払い済みであることを表示するスタンプを押すようにしても構わない。
【図面の簡単な説明】
【００３３】
【図１】  この発明に係るごみ袋兼用レジ袋の斜視図である。
【図２】  この発明に係るごみ袋兼用レジ袋のごみ袋としての使用状態を示した斜視図である。
【図３】  この発明に係るごみ袋兼用レジ袋の他の実施形態の斜視図である。
【符号の説明】
【００３４】  １      ごみ袋兼用レジ袋
２      幅広面
２ａ    ごみ袋兼用表示部
２ｂ    店名表示部
１２ａ  シール貼付部
Ｓ      シール
【図１】
2007223675.tif 000003
【図２】
2007223675.tif 000004
【図３】
2007223675.tif 000005